(57)【要約】【技術課題】容器本体内の内容物を最後まで使い切ることができると共に内容物を使い切ったときに落し蓋が容器本体の底面に密着しない落し蓋を提供する。【解決手段】ポンプ１４から容器本体１０の内底部に向けて挿入された吸引ガイドパイプ１８に落し蓋１を取り付け、この落し蓋１の下面に、その中心から放射状に空気流入溝５、６を形成すると共にこの空気流入溝５、６を円周溝７で連通し、前記空気流入溝６の先端６ｂを周側壁３に開口し、ここから空気流入溝５、６及び円周溝７内に空気を流入させる。落し蓋１の下面に流入した空気により、落し蓋１の上下面は略同圧に制御される。この結果、落し蓋１は容器本体１０内の底面に密着したりして取り外せなくなったりするのを防ぐことができると共に変形して内容物ａが容器本体１内に残ることもなくなる。【選択図】図１
2016210425.tif 000002
【特許請求の範囲】
【請求項１】
粘性流動体を充填した容器本体内から手動式のポンプを用いて前記粘性流動体を吐出すると共に前記ポンプのシリンダーに前記容器本体内から粘性流動体を吸引する吸引ガイドパイプを取り付け、更にこの吸引ガイドパイプに対し、これを支軸として粘性流動体の液面の変位に連れて上下動する落し蓋が取り付けられていると共に、この落し蓋は、柔軟性と弾性を有する素材により成形されていて、外周縁には、上向きに容器本体の内壁面に接する周側壁が形成された構成の粘性流動体吐出装置において、前記落し蓋の裏面には中心から放射状に空気流入溝を形成すると共にこの空気流入溝の先端を前記周側壁の外側に開口して設けたこと、
を特徴とする粘性流動体吐出装置の落し蓋。
【請求項２】
前記空気流入溝は、複数本形成されていると共にその中の少なくとも１又は２本の先端が周側壁に開口していること、を特徴とする請求項１に記載の粘性流動体吐出装置の落し蓋。
【請求項３】
前記空気流入溝を円周方向に連通させる円周溝を形成して成る請求項１に記載の粘性流動体吐出装置の落し蓋。
【請求項４】
前記空気流入溝及び円周溝は、断面Ｕ字状又はコ字状又はＶ字状から成ること、を特徴とする請求項１に記載の粘性流動体吐出装置の落し蓋。
【発明の詳細な説明】
【技術分野】
【０００１】
本発明は、クリームのような粘性流動体を容れた容器本体内から手動式の吐出ポンプを用いて内容物を吐出する装置において、中の液面の変化に連れて下降しながら容器本体の内周面に付着した内容物を掻き落し、無駄なく内容物を使い切るための落し蓋に関する。
【背景技術】
【０００２】
従来の落し蓋は、平板状を呈していて、容器本体内の内容物の液面と共に下降する構成である（実公平３−３５２０９号公報）。
【０００３】
しかし、この公知例の場合、落し蓋１８は容器本体１の内径に対して上部に形成した段差分小径となることから、容器本体の内壁面との間に隙間が発生し、内壁面に付着した内容物を十分に掻き落とし、無駄なく使い切ることはできない。
【０００４】
また、特開２００４−３４９９７号公報には、スリットを形成した落し蓋が紹介されているが、このスリットは容器本体の口径よりも落し蓋の外径が大きい場合に、この落し蓋をスリットで変形させて挿入しやすくするためのものであって、容器本体の内壁面に付着した内容物の掻き落しにスリットが寄与する訳ではない。
【０００５】
一方、掻き落し率を高めるために容器本体の内径と落し蓋の外径との間に隙間を無くすと共に落し蓋の裏面に空気の逃げ溝を放射状に形成した公知例が、実用新案登録第３１９３５９２号公報に紹介されている。しかし、この落し蓋Ｂの場合、落し蓋Ｂの下面に形成した空気逃げ溝Ｅはその先端Ｅ’が行き止りとなっていることから空気の逃げ場がなくなり、内容物内に気泡が混入していると、この気泡がポンプの空動を引き起こすという問題がある。
【０００６】
また、ポンプによる強い真空作用により、液面が容器本体Ａの底面に近づいて行くと、ポンプの駆動により吸引ガイドパイプＦの先端部分に負圧が集中し、落し蓋Ｂは図７に示すように周囲が持ち上って逆ハ字状に変形する。
【０００７】
この結果、内容物は周囲の持ち上った部分に残ってしまい、最後まで使い切ることができないという問題がある。
【０００８】
また、この公知例の場合、落し蓋Ｂの空気逃し溝Ｅの先端Ｅ’は、行き止りとなっているため、落し蓋Ｂが容器本体Ａ内の底面Ｄのところまで下降して来た時に、差圧でこの底面Ｄに密着してしまい、ポンプを容器本体Ａから取り外そうとしても、底面Ｄから落し蓋Ｂが離れず、無理に引き離そうとすると吸引ガイドパイプＦから落し蓋Ｂが外れて容器本体Ａ内に残してしまうことがある。
【０００９】
図７において、符号のＣは容器本体Ａの底、Ｆ’は吸引ガイドパイプＦの下端に形成した落し蓋Ｂの係合片、Ｇは吸引ガイドパイプＦの下端に形成した内容物ａの吸引口である。
【発明の概要】
【発明が解決しようとする課題】
【００１０】
本発明の目的は、内容物を最後まで使い切って落し蓋（ポンプ）を容器本体内から取り外すときに、落し蓋が容器本体の底面に密着して取り外すことができなくなったり、特に粘度の高い内容物のときに差圧が大きく作用して落し蓋が逆ハ字状に湾曲して内容物を最後まで使い切ることができなくなったりするのを防ぐ落し蓋を提供することである。
【課題を解決するための手段】
【００１１】
上記目的を達成するため、請求項１に記載の発明は、粘性流動体吐出装置の落し蓋において、粘性流動体を充填した容器本体内から手動式のポンプを用いて前記粘性流動体を吐出すると共に前記ポンプのシリンダーに前記容器本体内から粘性流動体を吸引する吸引ガイドパイプを取り付け、更にこの吸引ガイドパイプに対し、これを支軸として粘性流動体の液面の変位に連れて上下動する落し蓋が取り付けられていると共に、この落し蓋は、柔軟性と弾性を有する素材により成形されていて、外周縁には、上向きに容器本体の内壁面に接する周側壁が形成された構成の粘性流動体吐出装置において、前記落し蓋の裏面には中心から放射状に空気流入溝を形成すると共にこの空気流入溝の先端を前記周側壁の外側に開口して設けたことを特徴とするものである。
【００１２】
また、請求項２に記載の発明は、請求項１に記載の粘性流動体吐出装置の落し蓋において、前記空気流入溝は、複数本形成されていると共にその中の少なくとも１又は２本の先端が周側壁に開口していることを特徴とするものである。
【００１３】
また、請求項３に記載の発明は、請求項１に記載の粘性流動体吐出装置の落し蓋において、前記空気流入溝を円周方向に連通させる円周溝を形成して成ることを特徴とするものである。
【００１４】
また、請求項４に記載の発明は、請求項１に記載の粘性流動体吐出装置の落し蓋において、前記空気流入溝及び円周溝は、断面Ｕ字状又はコ字状又はＶ字状から成ることを特徴とするものである。
【発明の効果】
【００１５】
本発明は、以上に記載したとおり、落し蓋の下面に空気流入溝を形成したことにより、この落し蓋が容器本体内において底面に密着しても、前記空気流入溝を経由して容器本体内の空気を落し蓋の下面に導くことができる。
【００１６】
この結果、落し蓋は、容器本体の底面に密着せず、ポンプ側を引き上げると簡単に容器本体内から取り外すことができる。
【００１７】
また、高粘性内容物の場合に、落し蓋は、容器本体内の底面に接近しても、空気流入溝を経由して落し蓋の下側（裏側）に空気が流れ込むため、落し蓋を境として上下に差圧が無くなり、落し蓋は変形しない。
【００１８】
この結果、内容物は最後の段階においても落し蓋の下面と容器本体の底面との間に残らず、最後まで使い切ることができる。
【図面の簡単な説明】
【００１９】
【図１】本発明に係る落し蓋を取り付けたポンプ付ボトルの断面図である。
【図２】落し蓋の斜視図である。
【図３】落し蓋の平面図である。
【図４】落し蓋の下面図である。
【図５】Ａ−Ａ’線断面図である。
【図６】Ｂ−Ｂ’線断面図である。
【図７】従来の落し蓋の変形例の説明図である。
【発明を実施するための形態】
【実施例】
【００２０】
以下、図１〜図６に基づいて本発明に係る落し蓋の実施例を詳細に説明する。
【００２１】
符号の１は本発明に係る落し蓋であって、この落し蓋１は、容器本体１０の内径とほぼ同径に近いエッジ３ａを周側壁３の上縁に形成した皿形状を呈していると共に底面２には中央に形成した取付穴４から放射状に空気流入溝５、６が形成されている。
【００２２】
但し、空気流入溝５の先端５ｂは行き止りとなっていると共に空気流入溝６の先端６ｂ（図２、図４、図５参照）は周側壁３の外周面に閉口している。
【００２３】
また、前記空気流入溝５、６間は図４、図６に示すように円周溝７により全体が連通されている。
【００２４】
なお、空気流入溝５、６及び円周溝７の数は任意であるが、この数は、内容物の粘性が高い場合にはその本数を増加し、低い場合には減らすことができる。
【００２５】
図２、図３において、５ａ，６ａは前記空気流入溝５、６の裏側（落し蓋１の上面）に現われたリブである。
【００２６】
なお、前記空気流入溝５、６の断面形状はＵ字状、コ字状、Ｖ字状等任意であって、この断面形状は本発明において限定されない。
【００２７】
以上に説明した落し蓋１は、図１に示すように容器本体１０の内壁径１３と落し蓋１のエッジ３ａが略同径に設定されていて、ポンプ１４のシリンダー１６の嵌合部１５に嵌合した吸引ガイドパイプ１８に取付穴４を利用して上下に摺動自在に取り付けられている。
【００２８】
図１において、１１は容器本体１０の上縁に形成されたねじ部であって、ポンプ１４付のキャップ１９はこのねじ部１１を用いて開閉自在に取り付けられている。
【００２９】
図１において、１７はポンプ１４のシリンダー１６に接続された吸引ガイドパイプ、１７ａは吸引ガイドパイプ７の下端に形成された吸引スリット、１７ｂは落し蓋１を受け止めて落下を防ぐ係合片であって、内容物ａはポンプヘッド１４ａを駆動することにより図１において吸引スリット１７ａから吸引ガイドパイプ１７を介してシリンダー１６内に吸い上げられたのち、ノズル２０から吐出される。
【００３０】
このように、容器本体１０内の内容物ａは、ポンプ１４のポンプヘッド１４ａを上下動させると、真空作用により吸引ガイドパイプ１７の吸引スリット１７ａからシリンダー内に吸引され、ノズル２０から吐出される。
【００３１】
そして、液面が低下すると、落し蓋１は真空作用と液面との密着の作用により吸引ガイドパイプ１８に沿って安定的に下降し、容器本体１０の内周壁１３に付着した内容物ａをエッジ３ａで掻き落とす。
【００３２】
落し蓋１が液面に密着しながら下降する間に、空気流入溝５、６内に入り込んだ空気は、落し蓋１の周側壁３と容器本体１の内周壁１３間を通って落し蓋１の底面２内に流れ込むため、落し蓋１の底面２と容器本体１０内とは同圧に制御され、落し蓋１は図７で説明したように変形することなく内容物ａを最後まで掻き落とす。
【００３３】
この作用により、内容物ａは無駄なく使い切ることができると共に、落し蓋１は、空気流入溝５、６の作用で容器本体１の底面に密着することもなくなり、ポンプ１４（キャップ１９）と一緒に容器本体１０から取り外して内容物ａの補充等を行うことができる。
【００３４】
なお、容器本体１０の胴部は、本実施例では円筒状を呈しているが、この胴部は楕円形、四角形等の場合もあり、これに併せて落し蓋１もその形状となる。
【００３５】
そして、落し蓋１の空気流入溝６は、楕円形の場合には長円方向に設け、四角形の場合にはコーナー方向（対角線方向）に向けて設ける。
【符号の説明】
【００３６】
１  落し蓋
２  底面
３  周側壁
４  取付孔
５，６  空気流入溝
１０  容器本体
１３  内周壁
１４  ポンプ
１８  吸引ガイドパイプ
１９  キャップ
２０  ノズル
【図１】
2016210425.tif 000003
【図２】
2016210425.tif 000004
【図３】
2016210425.tif 000005
【図４】
2016210425.tif 000006
【図５】
2016210425.tif 000007
【図６】
2016210425.tif 000008
【図７】
2016210425.tif 000009